(57)【特許請求の範囲】
【請求項１】
縦方向及びそれに直交する横方向を有し、肌対向面及び非肌対向面と、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた吸収シャーシとを含む使い捨て着用物品において、
前記第１及び第２ウエスト域のうちの少なくとも前記第１ウエスト域において、前記横方向へ伸縮可能なウエスト弾性体が配設されており、
前記吸収シャーシは、前記クロッチ域から前記第１及び第２ウエスト域に延びる吸収性コアを含み、
前記ウエスト弾性体は、前記第１ウエスト域の外端縁に沿って直状に延びる上方ウエスト弾性体と、前記第１ウエスト域の内端縁側に位置する下方ウエスト弾性体とを有し、
前記下方ウエスト弾性体は、前記第１ウエスト域の前記横方向における中央部において前記縦方向の外側へ凸曲する中央部を有し、前記下方ウエスト弾性体と前記吸収性コアとが交差しておらず、
前記第１及び第２ウエスト域のうちの少なくとも一方には、少なくとも前記横方向に伸縮可能な補助シートが配置されていることを特徴とする前記着用物品。
【請求項２】
縦方向及びそれに直交する横方向を有し、肌対向面及び非肌対向面と、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた吸収シャーシとを含む使い捨て着用物品において、
前記第１及び第２ウエスト域のうちの少なくとも前記第１ウエスト域において、前記横方向へ伸縮可能なウエスト弾性体が配設されており、
前記吸収シャーシは、前記クロッチ域から前記第１及び第２ウエスト域に延びる吸収性コアを含み、
前記ウエスト弾性体は、前記第１ウエスト域の外端縁に沿って直状に延びる上方ウエスト弾性体と、前記第１ウエスト域の内端縁側に位置する下方ウエスト弾性体とを有し、
前記下方ウエスト弾性体は、前記第１ウエスト域の前記横方向における中央部において前記縦方向の外側へ凸曲する中央部と、前記中央部の前記横方向の両側に位置する両側部とを有し、
前記下方ウエスト弾性体と前記吸収性コアとが交差しておらず、
前記第１ウエスト域の前記下方ウエスト弾性体の前記両側部は、前記中央部側の部位が内方へ凹曲する湾曲状を有し、前記中央部の湾曲度合いが前記両側部の湾曲度合いよりも大きいことを特徴とする前記着用物品。
【請求項３】
前記吸収性コアの端縁は、前記両側部の下端よりも前記縦方向の外側に位置している請求項２に記載の着用物品。
【請求項４】
前記吸収性コアは、その中央部の厚さが１．５〜２．５ｍｍであって、ガーレー剛性値が０．０５〜０．０９Ｎ・ｃｍである請求項１〜３のいずれかに記載の着用物品。
【請求項５】
前記第２ウエスト域は、内端縁側に位置する下方ウエスト弾性体を有し、前記クロッチ域の両側縁部には、前記縦方向へ延びるレッグ弾性体が配設されており、前記第１ウエスト域において前記下方ウエスト弾性体と前記レッグ弾性体とが交差しておらず、前記第２ウエスト域において前記下方ウエスト弾性体と前記レッグ弾性体とが交差している請求項１〜４のいずれかに記載の着用物品。
【請求項６】
前記第２ウエスト域において、前記下方ウエスト弾性体は前記横方向へ直状に延びている請求項５に記載の着用物品。
【請求項７】
前記ウエスト弾性体は、ストリング状又はストランド状の弾性材料から形成されている請求項１〜６のいずれかに記載の着用物品。
【請求項８】
前記第２ウエスト域は、伸縮性繊維不織布から形成された内層シートと、非伸縮性繊維不織布から形成された外層シートとを含む請求項１〜７のいずれかに記載の着用物品。
【発明の詳細な説明】
【技術分野】
【０００１】
本発明は、使い捨て着用物品に関し、より詳しくは、ウエスト弾性体を有するパンツ型の使い捨ておむつ、使い捨てのトイレット・トレーニングパンツ、使い捨て失禁パンツ等の使い捨て着用物品に関する。
【背景技術】
【０００２】
従来、ウエスト弾性体を有する使い捨て着用物品は公知である。例えば、特許文献１には、縦方向及び横方向を有し、クロッチ域から前後ウエスト域に向かって縦方向へ延びる吸収シャーシと、おむつの両側縁間において横方向へ延びる複数条のストリング状又はストランド状のウエスト弾性体とを含む使い捨て着用物品が開示されている。
【先行技術文献】
【特許文献】
【０００３】
【特許文献１】特表２００８−５０８０８２号公報
【発明の概要】
【発明が解決しようとする課題】
【０００４】
特許文献１に開示された発明に係る使い捨て着用物品では、前後ウエスト域の吸収性コアの存在領域においてウエスト弾性体が切断、除去されており、実質的にその収縮力が発現されていない。これにより、前後ウエスト弾性体の収縮力によって吸収性コアの一部に皺が寄ったり、変形したりするおそれはなく、その吸液性能の低下を抑制することができる。
【０００５】
しかし、吸収性コアの存在領域において、前後ウエスト弾性体を切断、除去するために、例えば、前後ウエスト弾性体をシート部材に固定してそれらを切断する場合には、おむつの一部破損の原因となるおそれがあるとともに、見た目にも好ましくない。また、該領域において前後ウエスト弾性体をシート部材に固定せず、いわゆるカットバックによって前後ウエスト弾性体が存在しないようにする場合には、ゴムを切断する工程とその抜け止め処理をする工程とを要し、そのための設備が必要となる。
【０００６】
本発明の課題は、従来の使い捨て着用物品の改良であって、前後ウエスト弾性体の一部を切断、除去することなく、吸収性コアと交差しないように配設することのできる使い捨て着用物品の提供に関する。
【課題を解決するための手段】
【０００７】
前記課題を解決するための、本発明は、縦方向及びそれに直交する横方向を有し、肌対向面及び非肌対向面と、前後ウエスト域のうちの一方である第１ウエスト域と、それらの他方である第２ウエスト域と、第１及び第２ウエスト域間に位置するクロッチ域と、前記第１及び第２ウエスト域を形成する環状の弾性ウエストパネルと、前記弾性ウエストパネルに取り付けられた吸収シャーシとを含む使い捨て着用物品を改良することにある。
【０００８】
第１発明に係る着用物品は、前記第１及び第２ウエスト域のうちの少なくとも前記第１ウエスト域において、前記横方向へ伸縮可能なウエスト弾性体が配設されており、前記吸収シャーシは、前記クロッチ域から前記第１及び第２ウエスト域に延びる吸収性コアを含み、前記ウエスト弾性体は、前記第１ウエスト域の外端縁に沿って直状に延びる上方ウエスト弾性体と、前記第１ウエスト域の内端縁側に位置する下方ウエスト弾性体とを有し、前記下方ウエスト弾性体は、前記第１ウエスト域の前記横方向における中央部において前記縦方向の外側へ凸曲する中央部を有し、前記下方ウエスト弾性体と前記吸収性コアとが交差しておらず、前記第１及び第２ウエスト域のうちの少なくとも一方には、少なくとも前記横方向に伸縮可能な補助シートが配置されていることを特徴とする。
第２発明に係る着用物品は、前記第１及び第２ウエスト域のうちの少なくとも前記第１ウエスト域において、前記横方向へ伸縮可能なウエスト弾性体が配設されており、前記吸収シャーシは、前記クロッチ域から前記第１及び第２ウエスト域に延びる吸収性コアを含み、前記ウエスト弾性体は、前記第１ウエスト域の外端縁に沿って直状に延びる上方ウエスト弾性体と、前記第１ウエスト域の内端縁側に位置する下方ウエスト弾性体とを有し、前記下方ウエスト弾性体は、前記第１ウエスト域の前記横方向における中央部において前記縦方向の外側へ凸曲する中央部と、前記中央部の前記横方向の両側に位置する両側部とを有し、前記下方ウエスト弾性体と前記吸収性コアとが交差しておらず、前記第１ウエスト域の前記下方ウエスト弾性体の前記両側部は、前記中央部側の部位が内方へ凹曲する湾曲状を有し、前記中央部の湾曲度合いが前記両側部の湾曲度合いよりも大きいことを特徴とする。
【発明の効果】
【０００９】
本発明の使い捨て着用物品によれば、第１及び第２ウエスト域（前後ウエスト域）のうちの少なくとも一方のウエスト域において、下方ウエスト弾性体が、その中央部が外側へ凸曲する湾曲形状を有しており、吸収性コアと交差していない。それにより、下方ウエスト弾性体の収縮によって吸収性コアの一部に皺が生じたり変形してその吸液性能が低下するおそれはない。
【図面の簡単な説明】
【００１０】
【図１】本発明に係る使い捨て着用物品の一例として示す、第１実施形態における使い捨ておむつの斜視図。
【図２】おむつの一部破断展開平面図。
【図３】吸収シャーシの構成要素の一部を省略したおむつの展開平面図。
【図４】おむつの分解斜視図。
【図５】着用状態におけるおむつの側面図。
【図６】着用状態におけるおむつの背面図。
【図７】第２実施形態における図３と同様のおむつの展開平面図。
【図８】第３実施形態における図３と同様のおむつの展開平面図。
【図９】第４実施形態における図３と同様のおむつの展開平面図。
【発明を実施するための形態】
【００１１】
＜第１実施形態＞
図１〜４に示すとおり、おむつ１０は、縦方向Ｙ及びそれに直交する横方向Ｘを有し、肌対向面及びそれに対向する非肌対向面と、ウエスト回り方向へ延びる環状の弾性ウエストパネル１１と、弾性ウエストパネル１１の肌対向面側に取り付けられた吸収シャーシ１２と、前ウエスト域１３（第１又は第２ウエスト域）と、後ウエスト域（第１又は第２ウエスト域）１４と、前後ウエスト域１３，１４間に位置するクロッチ域１５とを含む。また、おむつ１０は、縦軸Ｐ及び横軸Ｑを有し、縦軸Ｐに関して対称である。
【００１２】
弾性ウエストパネル１１は、弾性ベルト機能を有し、前ウエスト域１３の一部を形成する前ウエストパネル１７と、後ウエスト域の１４一部を形成する後ウエストパネル１８とを含む。前ウエストパネル１７は、内端縁１７ａと、外端縁１７ｂと、内端縁１７ａと外端縁１７ｂとをつなぐ両側縁（前ウエスト域１３の両側縁）１７ｃとによって画定された横長方形状を有する。後ウエストパネル１８は、内端縁１８ａと、外端縁１８ｂと、外端縁１７ｂから下方へ延びる外側縁（後ウエスト域１４の両側縁）１８ｃと、外側縁１８ｃから内方へ斜めに延びる内側縁１８ｄとによって画定された略台形状を有する。
【００１３】
互いに対向する前ウエストパネル１７の両側縁１７ｃと後ウエストパネル１８の外側縁１８ｃどうしは、互いに重ね合わされ、縦方向Ｙへ間欠的に並ぶシーム部２０において公知の手段、例えば、熱エンボス加工、ソニックなどによる各種の熱溶着手段によって連結され、ウエスト開口２１と一対のレッグ開口２２とが画定される。また、後ウエストパネル１８のうちの内側縁１８ｄ間に形成された臀部フラップ１９は、着用中に着用者の臀部を覆う可撓性を有する部分であって、臀部が外部に露出するのを防ぐとともに、横方向Ｘへ延びる弾性部材を配置した場合にはフリルのような形状を有し、おむつの外観を向上させることができる。
【００１４】
前後ウエストパネル１７，１８は、それぞれ、肌対向面側に位置する内層シート２３と、非肌対向面側に位置する外層シート２４とを含む。
【００１５】
前記内外層シート２３，２４は、質量約１５〜３０ｇ／ｍ２のＳＭＳ（スパンボンド・メルトブローン・スパンボンド）繊維不織布、スパンボンド繊維不織布若しくはエアスルー繊維不織布、または、プラスチックシート、それらのラミネートシートなどを用いることができる。両シート２３，２４は、少なくとも一方の内面に塗布されたホットメルト接着剤又は前記熱溶着手段によって接合される。
【００１６】
前ウエストパネル１７の内外層シート２３，２４間には、ストリング状又はストランド状の複数条の前ウエスト弾性体２８が横方向Ｘへ伸縮可能に配設されている。よって、前ウエストパネル１７は少なくとも横方向Ｘへ弾性化されている。
【００１７】
前ウエストパネル１７の外層シート２４の非肌対向面側には、両側縁１７ｃ間において横方向Ｘへ延びる繊維不織布シートから形成された第１補助シート３０が配置されている。第１補助シート３０は、外層シート２４よりも縦方向Ｙの長さ寸法が小さく、その内外端縁３０ａ，３０ｂは前後ウエストパネル１７の内外端縁１７ａ，１７ｂよりも内方に位置している。
【００１８】
前ウエスト弾性体２８は、前ウエスト域１３の内端縁１７ａ側に位置し、湾曲形状を有する複数条の前下方ウエスト弾性体３１と、前ウエストパネル１７の外端縁１７ｂに沿って横方向Ｘへ直状に延びる複数条の前上方ウエスト弾性体３２と、前上方ウエスト弾性体３２と前下方ウエスト弾性体３１との間において横方向Ｘへ直状に延びる複数条の前中間ウエスト弾性体３３とを有する。前下方ウエスト弾性体３１は、吸収シャーシ１２の両側において横方向Ｘへ延びる両側部３１Ａ，３１Ａと、両側部３１Ａ，３１Ａ間に位置し、縦方向Ｙの外側へ凸曲する中央部３１Ｂとを有する。前中間ウエスト弾性体３３と前下方ウエスト弾性体３１とは、前ウエスト域１３の中央部において実質的に互いに交差しており、交差部位（前中央高弾性域）３４が形成されている。前下方ウエスト弾性体３１の両側部３１Ａは、その中央部３１Ｂ側の部位が中央部３１Ｂとほぼ同等の湾曲度合いを有する内方へ凹曲した形状を有する。
【００１９】
後ウエストパネル１８の内外層シート２３，２４間には、ストリング状又はストランド状の複数条の後ウエスト弾性体３５が横方向Ｘへ収縮可能に配設されおり、それにより、後ウエストパネル１８は少なくとも横方向Ｘへ弾性化されている。
【００２０】
後ウエストパネル１８の外層シート２４の非肌対向面側には、両側縁１８ｃ間において横方向Ｘへ延びる第２補助シート３６が配置されている。第２補助シート３６は、外層シート２４よりも縦方向Ｙの長さ寸法が小さく、その内外端縁３６ａ，３６ｂは後ウエストパネル１８の内外端縁１８ａ，１８ｂよりも内方に位置している。
【００２１】
図３に示すとおり、後ウエスト弾性体３５は、後ウエスト域１４の内端縁１８ａ側において横方向Ｘへ延び、湾曲形状を有する複数条の後下方ウエスト弾性体３７と、後ウエストパネル１８の外端縁１８ｂに沿って横方向Ｘへ直状に延びる複数条の後上方ウエスト弾性体３８と、後上方ウエスト弾性体３８と下方ウエスト弾性体３７との間において横方向Ｘへ直状に延びる複数条の後中間ウエスト弾性体３９とを有する。後下方ウエスト弾性体３７は、吸収シャーシ１２の両側において横方向Ｘへ延びる両側部３７Ａ，３７Ａと、両側部３７Ａ間に位置し、後ウエスト域１４の中央部において縦方向Ｙの外側へ凸曲する中央部３７Ｂとを有する。後中間ウエスト弾性体３９と後下方ウエスト弾性体３７とは、後ウエスト域１４の中央部において実質的に互いに交差しており、交差部位（後中央高弾性域）４０が形成されている。後下方ウエスト弾性体３７の両側部３７Ａは、その中央部３７Ｂ側の部位が、中央部３７Ｂとほぼ同等の湾曲度合いを有する内方へ凹曲した形状を有している。
【００２２】
後ウエスト弾性体３５は、内層シート２３と外層シート２４との間に介在されてそれらシート２３，２４の内面に塗布されたホットメルト接着剤を介して固定されている。後下方ウエスト弾性体３７は他の後ウエスト弾性体３５に比して伸長力が大きくなるように設定されており、具体的には、後上方ウエスト弾性体３８と後中間ウエスト弾性体３９とには、太さ約４００〜６００ｄｔｅｘ，伸長倍率約２．０〜３．０倍の弾性材料、後下方ウエスト弾性体３７には、太さ約６５０〜８５０ｄｔｅｘ、伸長倍率約２．０〜３．０倍の弾性材料を用いることができる。
【００２３】
本実施形態では、前後ウエスト弾性体２８，３５はストリング状又はストランド状の弾性材料から形成されているが、後記の本願発明の効果を奏する限りにおいて、第１及び第２補助シート３０，３６と同様に伸縮性繊維不織布シートから形成されていてもよい。
【００２４】
また、おむつ１０の各種寸法について言えば、おむつ１０の縦方向Ｙにおける寸法は約４５０〜５００ｍｍ、前ウエスト域１３の側縁１７ｃの縦方向Ｙにおける寸法（後ウエスト域１４の外側縁１８ｃの縦方向Ｙにおける寸法も同じ）Ｌ１は、約１００〜１２０ｍｍであって、前ウエスト域１３の内端縁１７ａから前中間ウエスト弾性体３３の最内の弾性部材３３ａまでの縦方向Ｙにおける離間寸法Ｌ２は約３０〜５０ｍｍ、前中間ウエスト弾性体３３の縦方向Ｙにおける寸法Ｌ３は約２０〜３０ｍｍである。また、後ウエスト域１４の側縁１８ｃの下端から後中間ウエスト弾性体３９の最内の弾性部材３９ａまでの縦方向Ｙにおける離間寸法Ｌ４は約３０〜５０ｍｍ、後中間ウエスト弾性体３９の縦方向Ｙにおける寸法Ｌ５は約２０〜３０ｍｍ、後中間ウエスト弾性体３９の最外の弾性部材３９ｂから後ウエスト域１４の外端縁１８ｂまでの縦方向Ｙにおける離間寸法Ｌ６は約４０〜６０ｍｍである。さらに、吸収性コア４５と後下方ウエスト弾性体３７とが最も離間する部位、すなわち、縦軸Ｐ上における吸収性コア４５の後端縁４５ｂと後下方ウエスト弾性体３７の下端４１との縦方向Ｙにおける離間寸法Ｌ７は約２〜５０ｍｍ、好ましくは約５〜２０ｍｍ、さらに好ましくは、約１０ｍｍである。また、レッグ弾性体５１の後端と後下方ウエスト弾性体３７との縦方向Ｙにおける離間寸法Ｌ８は約１０〜５０ｍｍ、好ましくは約２０〜４０ｍｍ、さらに好ましくは約３０ｍｍである。
【００２５】
図３に示すとおり、後ウエスト域１４において、後下方ウエスト弾性体３７の中央部３７Ｂが縦方向Ｙの外側へ凸曲していることによって、後下方ウエスト弾性体３７とレッグ弾性体５１とは実質的に交差していない。なお、本実施形態における、「弾性部材どうしが実質的に交差している」とは、弾性部材どうしの実質的に伸縮性を発現している部分が平面的及び立体的に互いに重なるように配置されていることを意味し、また、例えば、後ウエスト弾性体３５が固定された内層シート２３又は外層シート２４と、レッグ弾性体５１が固定された被覆シート４６とが互いに接合されて、互いのシート相互間においてそれらの弾性体の伸長力が及ぶことをいう。したがって、例えば、レッグ弾性体５１のいわゆるカットバック処理によって存在する実質的に伸縮性を発現しない部分と後下方ウエスト弾性体３７とが立体的に互いに重なる場合であっても、本実施形態では、それらが実質的に交差しているとはいえない。
【００２６】
第１及び第２補助シート３０，３６には、伸縮性繊維不織布を用いることができる。伸縮性繊維不織布としては、例えば、スパンボンド繊維不織布、メルトブローン繊維不織布、ヒートロール繊維不織布、ＳＭＳ繊維不織布、エアレイド繊維不織布及びエアスルー繊維不織布など公知の繊維不織布を単独で又はそれらを組み合わせたものを用いることができる。また、伸縮性繊維不織布は、例えば、ポリスチレン系、ポリウレタン系等からなるエラストマー樹脂、ポリエチレン、ポリプロピレン、ポリエステル、アクリル等からなる熱可塑性樹脂、ポリエチレン／ポリプロピレン、ポリエチレン／ポリエチレンテレフタレート、ポリプロピレン／ポリエチレンテレフタレートによる芯鞘型、サイドバイサイド型の複合繊維などから構成される。本実施形態において、第１及び第２補助シート３０，３６はそれぞれ、横方向Ｘへ約１．５〜２．０倍に伸長された状態で内外層シート２３，２４に固定されている。
【００２７】
本実施形態において、前後ウエストパネル１７，１８の非肌対向面に伸縮性繊維不織布から形成された第１及び第２補助シート３０，３６が配置されていることによって、前後ウエスト域１３，１４に伸縮性が付与されるので、おむつ１０全体を着用者の身体にフィットさせることができる。ただし、前後ウエスト弾性体２８，３５が所要の伸長応力を有し、かつ、後記の本願発明の効果を有する限りにおいて、第１及び第２補助シート３０，３６は省略されていてもよい。
【００２８】
吸収シャーシ１２は、前後端部１２Ｅ，１２Ｆと、少なくともクロッチ域１５において縦方向Ｙへ延びる吸収性コア４５と、吸収性コア４５の非肌対向面側の全体を覆う被覆シート４６とを有する。吸収シャーシ１２は、前後端縁１２ａ，１２ｂと両側縁１２ｃ，１２ｄとによって画定された縦長の略矩形である。吸収性コア４５の肌対向面側には、透液性の繊維不織布から形成された吸収性ライナー４８が配置されている。
【００２９】
吸収シャーシ１２の前後端部１２Ｅ、１２Ｆは、それぞれ、前後ウエストパネル１７，１８の非肌対向面側に取り付けられ、前後ウエストパネル１７，１８と第１及び第２補助シート３０，３６との間に介在されている。このように、吸収シャーシ１２の前後端部１２Ｅ，１２Ｆが第１及び第２補助シート３０，３６に被覆されていることによって、おむつ１０の着用時において、前後端部１２Ｅ，１２Ｆに指を引っ掛けて吸収シャーシ１２が弾性ウエストパネル１１から取り外れるおそれはない。ただし、吸収シャーシ１２の前後端部１２Ｅ，１２Ｆが弾性ウエストパネル１１に安定的に固定されている限りにおいて、前後端部１２Ｅ，１２Ｆが弾性ウエストパネル１１の肌対向面に固定されていてもよい。
【００３０】
吸収性コア４５は、縦方向Ｙへほぼ矩形状に延びるパネル形状であって、その全体がティッシュ等の液拡散性シート（図示せず）で被包されている。被覆シート４６は、吸収性コア４５の周縁部から外側へ延出しており、該延出部どうしが互いに重ね合わされてホットメルト接着剤（図示せず）を介して接合されることによって、エンドフラップ４９とサイドフラップ５０とが形成される。また、吸収性コア４６の存在領域における被覆シート４６の下面には、不透液性のプラスチックフィルムから形成された防漏シート（図示せず）が配置されている。
【００３１】
吸収性コア４５は、質量約４００〜６００ｇ／ｍ２であって、フラッフパルプと、超吸収性ポリマー粒子（ＳＡＰ）とから形成される。被覆シート４６には、質量約１０〜３０ｇ／ｍ２の疎水性のＳＭＳ繊維不織布、若しくは、質量約１５〜３０ｇ／ｍ２のスパンボンド繊維不織布、またはプラスチックシート、それらのラミネートシートなどを用いることができる。
【００３２】
なお、本実施形態において、「前後ウエスト弾性部材２８，３５が吸収性コア４５と実質的に交差していない」とは、各弾性部材が吸収性コア４５と平面的かつ立体的に実質的に重なっていないことを意味するものであって、それを被包するティッシュ等の液拡散性シートと交差しているものを含むものである。特に、前後ウエスト弾性体２８，３５が吸収性コア４５と実質的に交差せず、液拡散性シートと交差する場合には、液拡散性シートの固定領域が着用者の身体に密着して、吸収性ポリマー粒子の脱落と吸収性コア４５の型崩れとを防止することができる。
【００３３】
吸収性コア４５は、後記のように、前後ウエスト弾性体２８，３５の収縮力の影響を受けない程度の厚さと剛性とを有するものであって、具体的には、吸収性コア４５の中央部の厚さは、約１．５〜２．５ｍｍ、ＪＩＳ  Ｌ  １０９６の測定方法に準拠したガーレー剛性値は、約０．０５〜０．０９Ｎ・ｃｍである。なお、吸収性コア４５の中央部の厚さは、厚さ測定器（ＰＥＡＣＯＣＫ
社製、測定子の直径約１０〜２０ｍｍ）を用いて測定することができる。
【００３４】
吸収シャーシ１２のサイドフラップ５０には、縦方向Ｙへ延びるストリング状又はストランド状の複数条のレッグ弾性体５１が縦方向Ｙへ伸縮可能に固定されている。サイドフラップ５０を形成する被覆シート４６の両側部は、その一部が内方へ向かって折り返されており、縦方向Ｙへ延びる一対のスリーブが形成されている。スリーブ内にはストリング状又はストランド状の複数条のカフ弾性体５２がホットメルト接着剤を介して縦方向Ｙへ伸縮可能に固定されている。スリーブは、おむつ１０の着用時においてカフ弾性体５２の伸長力によって着用者の身体に向かって起立し、防漏壁を形成する。
【００３５】
レッグ弾性体５１及びカフ弾性体５２には、太さ約３００〜９００ｄｔｅｘ、伸長倍率が約２．２〜３．５倍の天然ゴム又は合成ゴムから作られた弾性材料を好適に用いることができる。本実施形態では、レッグ弾性体５１は３本の弾性材料から形成され、カフ弾性体５２は２本の弾性材料から形成されているが、単数又はそれらの本数よりも多い複数条の弾性材料から形成されていてもよい。
【００３６】
なお、本実施形態においては、前後ウエストパネル１７，１８の内面に前後ウエスト弾性体２８，３５が配設されているが、前後ウエスト弾性体２８，３５の一部を第１及び第２補助シート３０，３６の内面に固定してもよい。かかる場合には、例えば、前後ウエストパネル１７，１８を本実施形態の内外層シート２３，２４よりも縦方向Ｙにおける寸法の大きな１枚のシート部材から形成し、その前後端部を折り返して固定することによって形成された上下折り返し部に前後上方ウエスト弾性体３２，３８と前後下方ウエスト弾性体３１，３７とをそれぞれ配置し、第１及び第２補助シート３０，３６の内面に前後中間ウエスト弾性体３３，３９を配置してもよい。
【００３７】
図５は、着用状態におけるおむつ１０の側面図、図６は、着用状態におけるおむつ１０の背面図である。説明の便宜上、着用者の身体を仮想線で示し、前後ウエスト弾性体２８，３５とレッグ弾性体５１とを破線で示している。
【００３８】
図５及び６に示すとおり、前後ウエスト域１３，１４において、前後下方ウエスト弾性体３１，３７の中央部３１Ｂ，３７Ｂがそれぞれ上方へ凸曲した湾曲形状を有しており、吸収性コア４５と実質的に交差していない。前後ウエスト弾性体２８，３５の一部が吸収性コア４５と実質的に交差する場合には、その収縮力が吸収性コア４５に作用して、吸収性コアの一部に皺が寄ったり変形したりして、その吸収性能が著しく低下するおそれがあるが、本実施形態の場合には、前後ウエスト弾性体２８，３５の収縮力が吸収性コア４５に直接作用することはないので、かかる不利益を生じるおそれはない。
【００３９】
また、前後ウエスト弾性体２８，３５が吸収性コア４５と実質的に交差しない場合であっても、その近傍に位置する場合には、その伸長応力によって吸収コア４５の後端部が変形して吸収性能が低下したり、吸収した体液が滲出するおそれがある。しかし、本実施形態では、前記のとおり、後ウエスト域１４において、吸収性コア４５と後下方ウエスト弾性体３７の中央部３７Ｂとが所与寸法離間している。具体的には、縦軸Ｐ上における吸収性コア４５と後下方ウエスト弾性体３７との縦方向Ｙにおける離間寸法Ｌ７は約１０ｍｍである。このように、後下方ウエスト弾性体３７と吸収性コア４５とが実質的に交差しておらず、かつ、それらが所与寸法離間していることによって、後ウエスト弾性体３５の伸縮作用による影響が直接的のみならず間接的にも吸収性コア４５に及ぼされることを防止することができる。
【００４０】
一方、前ウエスト域１３においては、着用者が前屈みになったときに、吸収性コア４５の前端部が前方に突出するのを防止するために、吸収性コア４５の前端縁４５ａが前下方ウエスト弾性体３１の近傍に位置しているが、吸収性コア４５の剛性等を調整することによって、かかる問題が生じない場合には、後ウエスト域１４と同様に所与寸法離間していてもよい。
【００４１】
図５に示すとおり、前後ウエスト域１３、１４では、吸収性コア４５の前後端縁４５ａ，４５ｂがそれぞれ、おむつ１０の両側縁部近傍に位置する前後下方ウエスト弾性体３１，３７の両側部３１Ａ，３７Ａの下端６０，６１よりも上方に位置している。したがって、着用時においておむつ１０の両側部を手で掴んで引き上げる際に、前後下方ウエスト弾性体３１，３７の伸長力によっておむつ１０の両側部とともに吸収性コア４５を含む吸収シャーシ１２の前後端部１２Ｅ，１２Ｆも引き上げられるので、前後端部１２Ｅ，１２Ｆをそれぞれ着用者の腹部と臀部との所望の位置にフィットさせることができる。また、前後ウエスト域１３，１４を着用者の身体にフィットさせるために、その全体に前後ウエスト弾性体２８，３５が配設されていることが好ましいところ、本実施形態のように、前後下方ウエスト弾性体３１，３７と前後中間ウエスト弾性体３３，３９とが所与寸法離間している場合には、該離間部位において前後ウエスト域１３，１４が身体から離間するおそれがある。しかし、前後下方ウエスト弾性体３１，３７が湾曲形状を有することによって前後下方ウエスト弾性体３１，３７と前後中間ウエスト弾性体３３，３９との離間部位にも弾性材料による伸長力を付与することができるので、比較的に少ない弾性材料を用いて比較的に広範囲の伸縮域を形成することができる。
【００４２】
前記のとおり、吸収性コア４５のガーレー剛性値は、約０．０５〜０．０９Ｎ・ｃｍである。吸収性コア４５の剛性値が、かかる範囲内であることによって、吸収性コア４５は、前後ウエスト弾性体２８，３５と実質的に交差していない状態においてその一部が変形することなく、かつ、着用者の身体の動きに順応することができる。すなわち、ガーレー剛性値が約０．０５Ｎ・ｃｍ以下の場合には、たとえ吸収性コア４５が前後ウエスト弾性体２８，３５と実質的に交差していない状態であっても、吸収性コア４５にその収縮力が作用して、一部に皺が生じたり変形したりするおそれがある。一方、ガーレー剛性値が約０．０９Ｎ・ｃｍ以上の場合には、吸収性コア４５の剛性が比較的に高くなり、着用者の動きに順応することができず、身体から離間して体液の漏れを生じるおそれがある。
【００４３】
また、後下方ウエスト弾性体３７とレッグ弾性体５１とは、縦方向Ｙにおいて離間しており、互いに実質的に交差していない。通常、レッグ弾性体５１と後ウエスト弾性体３５の一部とが実質的に交差する場合には、後ウエスト弾性体３５が収縮することによってレッグ弾性体５１がおむつ１０の内方へ引き寄せられ、レッグ開口縁部が着用者の殿裂に食い込むおそれがある。特に、おむつの外形が一連のシート部材から形成され、レッグ弾性体がレッグ開口縁部に沿って湾曲状に配設される場合よりも、本実施形態のように、前後ウエスト域１３，１４とクロッチ域１５が別体に形成される場合においてかかる問題を生じるおそれがある。このように、レッグ開口縁部が着用者の殿裂に食い込む場合には、不快感を与えるのみならず、排泄物の漏れを生じるおそれがあり、また、後ウエスト域１４の一部が外側へ凸曲状に膨らんで臀部の一部が露出するので見た目にも好ましくない。本実施形態では、後下方ウエスト弾性体３７の中央部３７Ｂが外側へ凸曲した形状を有することによって、後下方ウエスト弾性体３７とレッグ弾性体５１とが実質的に交差しておらず、レッグ弾性体５１が後下方ウエスト弾性体３７の収縮作用による影響を直接的に受けることはないので、かかる不利益を生じるおそれはない。なお、前後下方ウエスト弾性体３１，３７の中央部３１Ｂ，３７Ｂが縦方向の外側へ凸曲することによるこれらの効果を奏するために、交差部位３４，４０の最上端３４ａ，４０ａはおむつ１０の両側縁部の縦方向Ｙにおける寸法を２等分する中央ライン６５（図５において仮想線で示す）よりも上方に位置していることが好ましい。
【００４４】
また、交差部位４０では後下方ウエスト弾性体３７と後中間弾性体３９とが実質的に交差して他の領域よりも高い弾性領域が形成されており、後下方ウエスト弾性体３７が収縮するときに両側部３７Ａが中央部３７Ｂに向かって収縮し、全体として湾曲状ではなく横方向Ｘに直線状になるように収縮力が作用する。それにより、クロッチ域１５のレッグ開口縁部は下方に押し下げられて、着用者の殿裂への食い込みが阻止される。
【００４５】
また、後ウエスト域１４において交差部位４０は着用者の臀部の上方に位置する、腰部の括れた部位と対向している。該部位は、腹部と臀部とに比べて動きが少なく平らであるので、後ウエスト域１４の一部を身体に安定的に密着させることができる。また、該部位は、括れ形状を有することから、着用者の身体と後ウエスト域１４との間に隙間が形成され易いところ、他の領域に比して高い伸長応力を有する交差部位４０を配置することによって、体液の漏れの原因となる隙間の形成を防止することができる。
【００４６】
本実施形態においては、オプションとして、伸縮性繊維不織布から形成された第１及び第２補助シート３０，３６が前後ウエスト域１３，１４に配置されているので、前後ウエスト弾性体２８，３５の伸長力を比較的に低く設定しても、前後ウエスト域１３，１４において所望のフィット性を付与することができる。したがって、ストリング状又はストランド状の弾性材料から形成された前後ウエスト弾性体２８，３５によって局所的に肌を圧迫することによるゴム痕が肌に付くおそれはない。
【００４７】
なお、本実施形態では、前後ウエスト域１３，１４において前後下方ウエスト弾性体３１，３７が湾曲形状を有しているが、前後下方ウエスト弾性体３１，３７のうちのいずれか一方のみがかかる湾曲形状を有するものであってもよい。ただし、前記のとおり、後ウエスト域１４において後下方ウエスト弾性体３７が湾曲状を有することで、吸収性コア４５の吸収性能を阻害しないという以外の効果を有するので、少なくとも後下方ウエスト弾性体３７がかかる湾曲形状を有することが好ましい。
【００４８】
＜第２実施形態＞
図７は、本発明の第２実施形態における図３と同様の展開平面図である。第２及び第３実施形態において、おむつ１０の基本的構成は第１実施形態のそれと同じであるので、相違する点についてのみ以下に述べる。
【００４９】
本実施形態においては、前ウエスト弾性体２８の前下方ウエスト弾性体３１が前ウエスト域１３の内端縁（前ウエストパネル１７の内端縁１７ａ）に沿って横方向Ｘへ直状に延びている。乳幼児は腹部が外側へ大きく膨らんだ体型であるので、前下方ウエスト弾性体３１が第１実施形態のように外側へ凸曲し、交差部位３４が腹部の中央部又はその上方側と対向して位置する場合には、腹部を圧迫して不快感を与えるおそれがあり、特に、着用者が乳児の場合には、腹式呼吸の妨げとなるおそれがある。本実施形態によれば、前下方ウエスト弾性体３１が直状であって、前下方ウエスト弾性体３１と前中間ウエスト弾性体３３とが実質的に交差していないので、かかる不利益を生じるおそれはない。
【００５０】
＜第３実施形態＞
図８は、本発明の第３実施形態における図３と同様の展開平面図である。
【００５１】
本実施形態においては、前下方ウエスト弾性体３１と後ウエスト弾性体３７とにおいて、それらの中央部３１Ｂ，３７Ｂが両側部３１Ａ，３７Ａの湾曲形状よりもカーブの比較的大きい、緩やかな湾曲形状を有する。かかる形態では、前後ウエスト域１３，１４において交差部位３４，４０が横方向Ｘにおいて比較的に広範囲に形成されるので、前後ウエスト域１３，１４をより安定的に着用者の身体にフィットさせることができる。
【００５２】
＜第４実施形態＞
図９は、おむつ１０のさらに他の実施例の一例を示す、図３と同様の平面図である。なお、おむつ１０の基本的な構成については本実施形態と同様であるので、相違する点についてのみ以下に述べる。
【００５３】
本実施形態では、前ウエストパネル１７において、内層シート２３が伸縮性繊維不織布から形成されており、外層シート２４が非伸縮性繊維不織布から形成されている。外層シート２４は、内層シート２４よりも縦方向Ｙ
における寸法が大きく、外層シートのうちの、内層シート２３の外端縁からさらに外側へ延出する部位を内方へ折り返して固定することによって形成された折り返し部７０内に前上方ウエスト弾性体３２が固定されている。このように、ストリング状又はストランド状の弾性材料からなる前下方ウエスト弾性体３１と前中間ウエスト弾性体３３とを配設しないことによって、前ウエスト域１３の中央部及び下方側を着用者の身体に対してよりソフトにフィットさせることができるので、着用者の腹部に圧迫痕を付くのを防止するとともに、着用者の腹部に対する圧迫感を軽減することができる。なお、内層シート２３には、第１及び２補助シート３０，３６と同様の伸縮性繊維不織布を使用することができる。また、内外層シート２３，２４を伸縮性繊維不織布で形成することによって、前ウエスト域１３全体に伸縮性を付与することもできるが、伸縮性繊維不織布から形成された内層シート２３と非伸縮性繊維不織布から形成された外層シート２４とを積層することによって、伸縮性繊維不織布どうしを積層して形成した場合に比して、所要の引張強度を確保でき、使用時のシートの破れ等を防止することができるとともに、シートの毛羽立ちを抑制することができる。
【００５４】
本発明の使い捨ておむつを構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【００５５】
以上に記載した本発明に関する開示は、少なくとも下記事項に要約することができる。
【００５６】
第１発明においては、縦方向Ｙ及びそれに直交する横方向Ｘを有し、肌対向面及び非肌対向面と、前後ウエスト域のうちの一方である第１ウエスト域と、それらの他方である第２ウエスト域と、第１及び第２ウエスト域間に位置するクロッチ域１５と、前記第１及び第２ウエスト域を形成する環状の弾性ウエストパネル１１と、前記弾性ウエストパネルに取り付けられた吸収シャーシ１２とを含む使い捨て着用物品１０において、第１及び第２ウエスト域の少なくとも第１ウエスト域には横方向Ｘへ伸縮可能なウエスト弾性体３５が配設されており、吸収シャーシ１２は、クロッチ域１５から第１及び第２ウエスト域に延びる吸収性コア４５を含む。ウエスト弾性体３５は、第１ウエスト域の外端縁に沿って直状に延びる上方ウエスト弾性体３８と、第１ウエスト域の内端縁側に位置する下方ウエスト弾性体３７とを有し、下方ウエスト弾性体３７は、第１ウエスト域の横方向Ｘにおける中央部において縦方向Ｙの外側へ凸曲する中央部３７Ｂを有し、下方ウエスト弾性体３７の中央部３７Ｂと前記吸収性コア４５とが交差しておらず、第１及び第２ウエスト域のうちの少なくとも一方には、少なくとも横方向Ｘに伸縮可能な補助シートが配置されている。
第２発明においては、縦方向Ｙ及びそれに直交する横方向Ｘを有し、肌対向面及び非肌対向面と、前後ウエスト域のうちの一方である第１ウエスト域と、それらの他方である第２ウエスト域と、第１及び第２ウエスト域間に位置するクロッチ域１５と、前記第１及び第２ウエスト域を形成する環状の弾性ウエストパネル１１と、前記弾性ウエストパネルに取り付けられた吸収シャーシ１２とを含む使い捨て着用物品１０において、第１及び第２ウエスト域の少なくとも第１ウエスト域には横方向Ｘへ伸縮可能なウエスト弾性体３５が配設されており、吸収シャーシ１２は、クロッチ域１５から第１及び第２ウエスト域に延びる吸収性コア４５を含む。ウエスト弾性体３５は、第１ウエスト域の外端縁に沿って直状に延びる上方ウエスト弾性体３８と、第１ウエスト域の内端縁側に位置する下方ウエスト弾性体３７とを有し、下方ウエスト弾性体３７は、第１ウエスト域の横方向Ｘにおける中央部において縦方向Ｙの外側へ凸曲する中央部３７Ｂを有し、下方ウエスト弾性体３７の中央部３７Ｂと前記吸収性コア４５とが交差しておらず、第１ウエスト域の下方ウエスト弾性体３７の両側部は、中央部側の部位が内方へ凹曲する湾曲状を有し、中央部３７Ｂの湾曲度合いが両側部の湾曲度合いよりも大きい。
【００５７】
上記段落００５６に開示した第１及び第２発明は、少なくとも下記の実施態様を含むことができる。
（１）前記下方ウエスト弾性体３７は、前記中央部３７Ｂの前記横方向Ｘの両側に位置する両側部３７Ａを有し、前記吸収性コア４５の端縁４５ａ，４５ｂは前記両側部の下端部６０，６１よりも前記縦方向の外側に位置している態様。
（２）前記吸収性コア４５は、その中央部の厚さが約１．５〜２．５ｍｍであって、ガーレー剛性値が約０．０５〜０．０９Ｎ・ｃｍである態様。
（３）前記第２ウエスト域は、内端縁側に位置する下方ウエスト弾性体３１を有し、前記クロッチ域１５の両側縁部には、前記縦方向Ｙへ延びるレッグ弾性体５１が配設されており、前記第１ウエスト域において前記下方ウエスト弾性体３７と前記レッグ弾性体５１とが交差しておらず、前記第２ウエスト域において前記下方ウエスト弾性体３７と前記レッグ弾性体５１とが実質的に交差している態様。
（４）前記第２ウエスト域において前記下方ウエスト弾性体３１は前記横方向Ｘへ直状に延びている態様。
（５）前記前後ウエスト弾性体３５は、ストリング状又はストランド状の弾性材料から形成されている態様。
（６）前記第２ウエスト域は、伸縮性繊維不織布から形成された内層シート２３と、非伸縮性繊維不織布から形成された外層シート２４とを含む態様。
【符号の説明】
【００５８】
１０  使い捨ての着用物品（使い捨ておむつ）
１１  弾性ウエストパネル
１２  吸収シャーシ
１３  前ウエスト域（第１ウエスト域又は第２ウエスト域）
１４  後ウエスト域（第１ウエスト域又は第２ウエスト域）
１５  クロッチ域
２３  内層シート
２４  外層シート
３０  第１補助シート
３１  前下方ウエスト弾性体（下方ウエスト弾性体）
３１Ａ  前下方ウエスト弾性体の両側部
３１Ｂ  前下方ウエスト弾性体の中央部
３２  前上方ウエスト弾性体（上方ウエスト弾性体）
３３  前中間ウエスト弾性体（中間ウエスト弾性体）
３４  交差部位
３６  第２補助シート
３７  後下方ウエスト弾性体（下方ウエスト弾性体）
３７Ａ  後下方ウエスト弾性体の両側部
３７Ｂ  後下方ウエスト弾性体の中央部
３８  後上方ウエスト弾性体（上方ウエスト弾性体）
３９  後中間ウエスト弾性体（中間ウエスト弾性体）
３９Ａ  後下方ウエスト弾性体の両側部
３９Ｂ  後下方ウエスト弾性体の中央部
４０  交差部位
４５  吸収性コア
４５ａ  吸収性コアの前端縁
４５ｂ  吸収性コアの後端縁
６０  前下方ウエスト弾性体の両側部の下端
６１  後下方ウエスト弾性体の両側部の下端
【図１】
0005871507.tif 000002
【図２】
0005871507.tif 000003
【図３】
0005871507.tif 000004
【図４】
0005871507.tif 000005
【図５】
0005871507.tif 000006
【図６】
0005871507.tif 000007
【図７】
0005871507.tif 000008
【図８】
0005871507.tif 000009
【図９】
0005871507.tif 000010